(57)【要約】【課題】  宝石が輝きを失うことなく接着剤によって基材に固定できるようにする宝石の取付構造及び宝石の取付方法、宝石を備えたつけ爪を提供する。【解決手段】  つけ爪Ｎ１は板状の基材１を有している。基材１にはダイヤモンド２が設けてある。基材１はダイヤモンド２のパビリオン２０と略同じ厚みを有している。基材１にはダイヤモンド２を嵌めて設けるための取着孔１０が形成してある。取着孔１０はダイヤモンド２のガードル２１が縁にやや引っ掛かるよう形成してある。取着孔１０には接着剤３が注入してあり、接着剤３の固化前にダイヤモンド２が上方から嵌めてある。接着剤３は固化したときに無色透明な状態が維持できるものを使用している。ダイヤモンド２はパビリオン２０の表面が接着剤３と接着されて基材１に固定してある。【選択図】図１
2006312069.tif 000002
【特許請求の範囲】
【請求項１】
宝石の取付構造であって、
宝石と、
当該宝石を取り付ける基材と、
を備えており、
上記宝石は、固化した状態で透光性を有する接着剤によって上記基材に接着されていることを特徴とする、
宝石の取付構造。
【請求項２】
宝石の取付構造であって、
宝石と、
当該宝石を嵌める取着凹部または貫通した取着穴が形成してある基材と、
を備えており、
上記取着凹部または取着穴には、固化した状態で透光性を有する接着剤が設けてあり、上記宝石は当該接着剤によって取着凹部または取着穴に接着されていることを特徴とする
、
宝石の取付構造。
【請求項３】
宝石は、パビリオンが露出しないよう、もしくはクラウンだけまたはガードルを含む上部側だけが基材上面から出るよう設けてあることを特徴とする、
請求項１または２記載の宝石の取付構造。
【請求項４】
基材上面に所要の厚みを有する厚み調整層が、宝石のパビリオンが露出しないよう、もしくはクラウンだけまたはガードルを含む上部側だけが基材上面から出るよう設けてあることを特徴とする、
請求項１または２記載の宝石の取付構造。
【請求項５】
宝石の取付構造であって、
宝石と、
生爪の表面に塗って設けられる基材と、
を備えており、
上記宝石は、固化した状態で透光性を有する接着剤によって上記基材に接着されていることを特徴とする、
宝石の取付構造。
【請求項６】
宝石の取付方法であって、
基材に、固化した状態で透光性を有する接着剤によって宝石を接着することを特徴とする、
宝石の取付方法。
【請求項７】
宝石の取付方法であって、
基材に宝石を嵌める取着凹部または貫通した取着穴を形成し、当該取着凹部または取着穴に、固化した状態で透光性を有する接着剤を注入して宝石を接着することを特徴とする、
宝石の取付方法。
【請求項８】
宝石を取着凹部または取着穴に嵌めたときパビリオンが基材上面より露出する場合では、基材上面に所要の厚みを有する厚み調整層を設けて宝石のパビリオンが露出しないよう、もしくはクラウンだけまたはガードルを含む上部側だけが基材上面から出るようにすることを特徴とする、
請求項６または７記載の宝石の取付方法。
【請求項９】
宝石を備えたつけ爪であって、
宝石と、
当該宝石を取り付ける基材と、
を備えており、
宝石は、請求項１，２，３または４記載の宝石の取付構造によって基材に設けてあることを特徴とする、
宝石を備えたつけ爪。
【発明の詳細な説明】
【技術分野】
【０００１】
本発明は、宝石の取付構造及び宝石の取付方法、宝石を備えたつけ爪に関する。更に詳しくは、宝石が輝きを失うことなく接着剤によって基材に固定できるようにしたものに関する。
【背景技術】
【０００２】
宝石（ダイヤモンド等）には、外部の光が上面から内部に入って石内で幾度も反射し、再び上面に出ることによって眩いばかりに輝くという特性を有するものがある。このような宝石は、一般的に金属製の台座に取着爪で引っ掛けて固定してあり、こうして指輪やイヤリング等が構成されている。
【０００３】
本発明者は、近年流行しているつけ爪についての研究開発を行っており、より装飾効果の高いつけ爪ができないものか模索していた。そうしたところつけ爪に上記したような宝石を設けることができれば、例えば、結婚式でドレス等と共に新婦をより華やかに演出できるというような装飾効果の高いものができるのではないかとの着想を得た。
【０００４】
つけ爪は、生爪に沿うよう湾曲した合成樹脂製の板状基材（チップ）を有しており、この上面（表面）に塗装等により装飾を施すことによって作られている。
【０００５】
ダイヤモンド等の宝石を金属以外のもの（合成樹脂製の板状基材等）に設ける技術としては、例えば、特許文献１ないし５がある。
【０００６】
特許文献１には、上面に形成した凹部に宝石等を収容し、凹部をカバーで塞いでなる装飾挿入物を有する人工爪が開示されている。
また、特許文献２，３及び４には、合成樹脂等の基材に宝石より小さな穴を穿け、その穴の開口部近傍の内側に周方向に沿う溝部を穿設して係止用縁部を形成し、宝石の外周縁（ガードル）を前記係止用縁部に圧入することで取り付ける宝石の取付方法が開示されている。
更に、特許文献５には、保持具の穴中に宝石類を押し入れることも穴から押し出すこともいずれも同等に容易にできる宝石類の保持具が開示されている。
【０００７】
【特許文献１】特開２００２−３４６４１
【特許文献２】特開平７−８８００４
【特許文献３】特開平７−２１３３１６
【特許文献４】特開平８−５６７１７
【特許文献５】特開平６−１２５８０５
【発明の開示】
【発明が解決しようとする課題】
【０００８】
しかし、上記した特許文献１ないし５に開示されたものには、次のような課題があった。
まず、特許文献１に開示されたものには、宝石が凹部に収容された状態で固定されていないので、宝石に入る光の方向が定まらないという課題がある。宝石が輝くためには光の入る方向が重要であり、宝石自体も所定の側から光が入ったときに石内で反射して輝くようカットされている。従って、このように固定されていない場合では宝石は輝かず美しく見えない。
更には、凹部には上部にカバーが設けてあり宝石が直接見えないので、見た目の高級感にも欠ける。
【０００９】
また、特許文献２，３及び４に開示されたものは、基材に設けた穴の開口部近傍に形成する係止用縁部の加工が、宝石が大きい場合では可能であるが、小さい場合では事実上困難である。本発明者が想定する宝石はつけ爪に設けるものであるので比較的小さい。
仮に、係止用縁部が加工できたとしても、例えば、基材を落としてしまうと係止用縁部を形成する部分が割れてしまって宝石が外れるおそれがある。
【００１０】
特許文献５に開示されたものは、保持具の穴中に宝石類を押し入れることも穴から押し出すことも可能である。しかしながら宝石は高価なものであり、紛失防止のためには簡単に外れないように固定することが望ましいので、この取付構造も不適当である。
【００１１】
このように特許文献１ないし５に開示されたものでは、いずれも宝石をつけ爪に固定した状態で設けることはできなかった。
【００１２】
そこで本発明者は、固定の手段として接着剤に着目し、種々の実験を試みた。宝石はダイヤモンドを使用した。まず、つけ爪の基材にダイヤモンドが嵌る外径ほどの穴を形成し、接着剤を流し込んでダイヤモンドを入れてみた。ダイヤモンドは下側のパビリオンが接着剤に埋め込まれるよう設けた。このとき使用した接着剤は、固化した状態で不透明性を有するものであった。
【００１３】
上記実験によれば、接着剤が固化することによりダイヤモンドは基材に固定できた。しかし、ダイヤモンドは石内が暗く色あせた状態になり、ダイヤモンドが放つ輝きは失われてしまった。なお、宝石業界にて宝石を接着剤で固定することはそもそも非常識なことであり、宝石は金属の爪での固定が当然のこととされている。
【００１４】
本発明者は、ダイヤモンドが輝きを失わずに接着剤で固定できないものか鋭意研究を重ねた。その結果、固化した後でも透光性を有する接着剤を使えば、金属製の台座に設けたものと比較しても遜色ない輝きを保った状態のまま固定できることを知見した。
本発明は上記知見に基づき完成されたものである。
【００１５】
本発明の目的は、宝石が輝きを失うことなく接着剤によって基材に固定できるようにする、宝石の取付構造及び宝石の取付方法、宝石を備えたつけ爪を提供することにある。
【課題を解決するための手段】
【００１６】
上記目的を達成するために本発明が講じた手段は次のとおりである。
第１の発明にあっては、
宝石の取付構造であって、
宝石と、
当該宝石を取り付ける基材と、
を備えており、
上記宝石は、固化した状態で透光性を有する接着剤によって上記基材に接着されていることを特徴とする、
宝石の取付構造である。
【００１７】
第２の発明にあっては、
宝石の取付構造であって、
宝石と、
当該宝石を嵌める取着凹部または貫通した取着穴が形成してある基材と、
を備えており、
上記取着凹部または取着穴には、固化した状態で透光性を有する接着剤が設けてあり、
上記宝石は当該接着剤によって取着凹部または取着穴に接着されていることを特徴とする、
宝石の取付構造である。
【００１８】
第３の発明にあっては、
宝石は、パビリオンが露出しないよう、もしくはクラウンだけまたはガードルを含む上部側だけが基材上面から出るよう設けてあることを特徴とする、
第１または第２の発明に係る宝石の取付構造である。
【００１９】
第４の発明にあっては、
基材上面に所要の厚みを有する厚み調整層が、宝石のパビリオンが露出しないよう、もしくはクラウンだけまたはガードルを含む上部側だけが基材上面から出るよう設けてあることを特徴とする、
第１または第２の発明に係る宝石の取付構造である。
【００２０】
第５の発明にあっては、
宝石の取付構造であって、
宝石と、
生爪の表面に塗って設けられる基材と、
を備えており、
上記宝石は、固化した状態で透光性を有する接着剤によって上記基材に接着されていることを特徴とする、
宝石の取付構造である。
【００２１】
第６の発明にあっては、
宝石の取付方法であって、
基材に、固化した状態で透光性を有する接着剤によって宝石を接着することを特徴とする、
宝石の取付方法である。
【００２２】
第７の発明にあっては、
宝石の取付方法であって、
基材に宝石を嵌める取着凹部または貫通した取着穴を形成し、当該取着凹部または取着穴に、固化した状態で透光性を有する接着剤を注入して宝石を接着することを特徴とする、
宝石の取付方法である。
【００２３】
第８の発明にあっては、
宝石を取着凹部または取着穴に嵌めたときパビリオンが基材上面より露出する場合では、基材上面に所要の厚みを有する厚み調整層を設けて宝石のパビリオンが露出しないよう、もしくはクラウンだけまたはガードルを含む上部側だけが基材上面から出るようにすることを特徴とする、
第６または第７の発明に係る宝石の取付方法である。
【００２４】
第９の発明にあっては、
宝石を備えたつけ爪であって、
宝石と、
当該宝石を取り付ける基材と、
を備えており、
宝石は、第１，第２，第３または第４の発明に係る宝石の取付構造によって基材に設けてあることを特徴とする、
宝石を備えたつけ爪である。
【００２５】
宝石は透光性を有するものであれば特に限定するものではなく、例えば、ダイヤモンド、エメラルド、サファイア、ルビー、オパール、ガーネット、アメシスト、アクアマリン、ペリドット、トパーズ等を挙げることができる。また、宝石は、天然ものと同等または略同等の特性を備えるものであれば、人工的に製造したものも使用可能である。更に、宝石のカットの種類も特に限定するものではない。
【００２６】
透光性という用語は、光を通すという意味を含んでおり、具体的には、透明（有色・無色）や半透明（有色・無色）を含む概念として使用している。
【００２７】
基材は、透光性を有するものを使用することもできるし、不透光性のものを使用することもできる。しかし、接着した宝石の下側に基材が配置される場合、少なくとも当該宝石の下側にあたる部分は、光が反射し易い、白、灰色、クリーム色、乳白色、らくだ色（ベージュ）、ピンク色等の白を多く含む色相を有するようにしてあるものが好ましい。また、基材を形成する材料も特に限定するものではなく、例えば、合成樹脂、陶磁器（セラミックスを含む）、ガラス、カーボン等が使用できる。更に基材は、硬質なものを使用することもできるし、軟質なものを使用することもできる。更に基材の厚みは５ｍｍ以下、より好ましくは３ｍｍ以下に設定されることが外観上望ましい。
【００２８】
生爪の表面に塗って設けられる基材は、手や足の爪に設けることができる。また、つけ爪には手用のものや足用のものがある。
【００２９】
生爪の表面に塗って設けられる基材に宝石を固定する構造のものは、基材自体を固化した状態で透光性を有する接着剤によって構成することもできる。
【００３０】
（作  用）
固化した状態で透光性を有する接着剤によって宝石を基材に接着したものは、基材に設けた状態で宝石内が暗く色あせたようにはならず、金属製の台座に設けたものと同じような輝きを放つ。この理由は定かでないが、おそらく宝石の上部側から入った光が下部側から石外にも出て接着剤を透光し、取着孔に接着されたものの場合では取り付けた生爪等の表面によって光が反射し、また、取着孔以外に接着されたものの場合では基材自体によって光が反射して、再び接着剤を透光して石内に入ることによりできたのではないかと思われる。
【００３１】
基材上面に所要の厚みを有する厚み調整層を設けたものは、厚み調整層の厚みを調整することで、宝石への接着面積を増やして接着強度が高くできる。
【発明の効果】
【００３２】
本発明は上記構成を備え、次の効果を有する。
（ａ）固化した状態で透光性を有する接着剤によって宝石を基材に接着したものは、基材に設けた状態で宝石内が暗く色あせたようにはならず、金属製の台座に設けたものと同じような輝きを放つ。従って、例えば、この宝石の取付構造を生爪やつけ爪に設けた場合では、つめに対して今までにない高い装飾効果を奏することができ、例えば結婚式においてドレス等と共に新婦をより華やかに演出することができる。
【００３３】
（ｂ）基材上面に所要の厚みを有する厚み調整層を設けたものは、厚み調整層の厚みを調整することで、宝石への接着面積を増やして接着強度を高めることができ、これにより宝石は大きさを選ぶことなく固定できる。
【発明を実施するための最良の形態】
【００３４】
本発明の実施の形態を図面に基づき更に詳細に説明する。
図１は本発明に係るつけ爪の一実施の形態を示す斜視図、
図２は図１に示すつけ爪におけるダイヤモンドの取付構造を示す拡大断面図である。
【００３５】
符号Ｎ１はつけ爪を示している。つけ爪Ｎ１は、生爪に沿うよう湾曲した合成樹脂製の板状の基材１を有している。基材１は全体が透光性を有する乳白色を有するものを使用した。
【００３６】
基材１の所要位置には、宝石のひとつであるダイヤモンド２・・・が四箇所に設けてある。ダイヤモンド２・・・は略同じ大きさを有するブリリアントカットに形成されたものを使用している。基材１は、上記したダイヤモンド２におけるパビリオン２０と略同じ厚みを有している。
【００３７】
図２を参照してダイヤモンド２の取付構造について詳述する。
基材１にはダイヤモンド２・・・を嵌めて設けるための取着孔１０・・・が貫通して四箇所に形成してある。各取着孔１０は、基材１の上面側と下面側とが同じ大きさを有し、嵌めたダイヤモンド２のガードル２１が縁にやや引っ掛かるようテーブル径（ガードル２１を通って測定されるダイヤモンドの幅）よりも極僅かに径小に形成してある。
【００３８】
各取着孔１０には接着剤３が注入してあり、接着剤３の固化前にダイヤモンド２が上方から嵌めて設けてある。接着剤３は固化したときに無色透明な状態が維持できるものを使用している。ダイヤモンド２は、パビリオン２０が露出しないようガードル２１が取着孔１０の縁に引っ掛かった状態で取着孔１０に嵌めてあり、クラウン２２及びガードル２１が基材１の上面から出る状態になっている。ダイヤモンド２は、パビリオン２０の表面が接着剤３と接着されることにより基材１に固定してある。
【００３９】
取着孔１０内には、接着剤３がパビリオン２０の表面と接した状態で充填されている。
接着剤３は基材１の下面からはみ出さず、固化した状態でこの下面と略面一になるようにしてある。
【００４０】
基材１はダイヤモンド２のパビリオン２０と略同じ厚みを有するが、取着孔１０に嵌めたときにダイヤモンド２のキューレット２３が接着剤３の下面より僅かに突出することがある。この場合、突出した部分は樹脂４で埋められて、基材１の下面となだらかに繋がるように研磨等して調整される。
【００４１】
上記構造を有するつけ爪Ｎ１を実施例１とし、貫通した取着孔に透明でない接着剤によってダイヤモンドを設けたつけ爪を比較例１として、石（ルース）のみのダイヤモンドと比べたときの輝き具合について１０名の被験者により官能試験を行った。なお、当該試験においてダイヤモンドは、輝き等について略同じ品質を有するものを使用した。その結果を表１に示す。
【００４２】
回答は、比較例１及び実施例１共に、石のみのダイヤモンドと比べて「輝きを失った」は「１」、「輝きは変わらない」は「２」で示すものとする。
【００４３】
【表１】
2006312069.tif 000003
【００４４】
実施例１と比較例１とでは、外観について全く異なる印象を受けるということを示す結果となった。具体的には、実施例１で示すものは、光が石内で反射して外部に出た状態で、石のみのダイヤモンドと同じように輝いており、比較例１で示すものは、光が石内で反射しておらずくすんでおり、いわばガラスでできたおもちゃのように見えて高級感に欠ける印象を受ける。このことは全員が比較例１で示すものは石のみのダイヤモンドと比べて輝きを失ったと感じ、実施例１で示すつけ爪Ｎ１は石のみのダイヤモンドと比べて輝きが変わらないと感じたことを示す表１の結果からも明らかである。
【００４５】
（作  用）
図１及び図２を参照して本実施の形態で示すつけ爪Ｎ１の作用を説明する。
つけ爪Ｎ１は、生爪の表面に接着剤等により接着して使用される。つけ爪Ｎ１は、ダイヤモンド２を基材１の取着孔１０に嵌めて接着剤３で固定する取付構造を有している。
【００４６】
このようにつけ爪Ｎ１は金属の爪でダイヤモンド２を固定するものではないが、固化したときに無色透明な状態が維持できる接着剤３を使用し、この接着剤３にパビリオン２０を埋め込むように設けることにより、生爪に取り付けた状態でもダイヤモンド２は石内が暗く色あせたようにはならず、金属製の台座に設けたものと同じような輝きを放つことができる。この理由は定かでないが、おそらくダイヤモンド２のクラウン側２２から入った光がパビリオン２０の表面から石外にも出て接着剤３を透過し、光が生爪の表面で反射して、再び接着剤３を透過してパビリオン２０から石内に入ることによりできたのではないかと思われる。従って、今までのつけ爪にはない高い装飾効果を奏することができ、例えば、結婚式においてはドレス等と共に新婦をより華やかに演出できる。
【００４７】
本実施の形態では説明していないが、基材の上面（表面）にはマニキュアや飾り付け等により色彩や部材を設けて、更に装飾を施すこともできる。
【００４８】
図３は本発明に係るつけ爪におけるダイヤモンドの他の取付構造を示す拡大断面図である。
なお、図３において、上記図１及び図２で示したものと同一または同等箇所には同一の符号を付して示している。また、以下の説明において構造について上記で示した箇所と重複する説明は、必要な事項を除き省略する。
【００４９】
つけ爪Ｎ２が備える基材１ａは、既存のつけ爪を構成するものであり、所定の厚みを有している。基材１ａの所要位置にはダイヤモンド２が設けてある。基材１ａはダイヤモンド２のパビリオン２０よりやや薄い厚みを有している。
【００５０】
基材１ａの取着孔１０ａは、基材１ａの上面側と下面側とが同じ大きさを有し、ダイヤモンド２を嵌めたときに縁がパビリオン２０の所要の位置と当たって、キューレット２３が基材１の下面と略面一となる位置に配置される径小な形状に形成してある。
【００５１】
取着孔１０ａには接着剤３が注入してあり、固化前にダイヤモンド２が上方から嵌めて設けてある。ダイヤモンド２は、パビリオン２０の上部側がやや露出し、クラウン２２及びガードル２１が出た状態で取着孔１０ａに嵌めて固定してある。
【００５２】
ダイヤモンド２が固定された基材１ａの上面には、厚み調整層５が塗って設けてある。厚み調整層５は、パビリオン２０が露出せず、クラウン２２及びガードル２１が上面から出た状態になるようダイヤモンド２の周りを覆って設けてある。本実施の形態で厚み調整層５は固化したときに無色透明な状態が維持できる樹脂を使用している。
【００５３】
厚み調整層５の上面には、色彩等を設けて装飾が施してある化粧層６が設けてある。化粧層６は、クラウン２２及びガードル２１が上面から出た状態になるようダイヤモンド２の周りを覆って設けてある。
【００５４】
（作  用）
図３を参照してつけ爪Ｎ２の作用を説明する。
なお、上記したつけ爪Ｎ１と共通する構成により生じる同様の作用、効果については説明を省略し、相違する点についてのみ説明する。
つけ爪Ｎ２は、既存のつけ爪を構成する基材１ａを利用し、これに厚み調整層５を設けた構造であるので、既につけ爪を作っているところであれば、新たな資材や設備等を用意することなく簡単に製造できる。
【００５５】
また、つけ爪Ｎ２は、厚み調整層５の厚みが任意に調整できるので、ダイヤモンド２の接着面積が足りない場合では、増やして接着強度を高めることができる。これによりダイヤモンドは大きさを選ぶことなく固定できるので、大きさを揃えることが困難な天然のダイヤモンドでも支障なく使用することができる。
【００５６】
本実施の形態で厚み調整層５は固化したときに無色透明な状態が維持できる樹脂を使用したが、これは限定するものではなく、例えば、固化した状態で透光性を有するもの（有色透明、半透明を含む）や不透光性を有するもの（不透明を含む）が使用できる。しかし、少なくともパビリオン２０と接する部分の近傍が透光性を有するよう形成する方が好ましい。
【００５７】
上記した実施の形態で樹脂４は、固化したときに無色透明な状態が維持できるものを使用している。しかし、これは限定するものではなく、例えば、固化した状態で透光性を有するもの（有色透明、半透明を含む）や不透光性を有するもの（不透明を含む）が使用できる。なお、樹脂４は、キューレット２３が接着剤３の下面より突出しないのであれば必要ないものである。
【００５８】
上記した実施の形態においてダイヤモンド２は、基材１，１ａを貫通した取着孔１０、１０ａに嵌めるようにしたが、これは限定するものではなく、ダイヤモンド２は、例えば、基材に取着凹部を形成し、この取着凹部に接着剤３を注入して接着剤３の固化前にダイヤモンド２を上方から嵌めて設けることもできる。この場合、取着凹部の底部にあたる部分は、光が反射し易いように、白、灰色、クリーム色、乳白色、らくだ色（ベージュ）、ピンク色等の色相を有するようにしてあることが好ましい。
【００５９】
図４は本発明に係る宝石の取付構造におけるダイヤモンドの取付構造を示す拡大断面図である。
なお、図４において、上記図１ないし図３で示したものと同一または同等箇所には同一の符号を付して示している。また、以下の説明において構造について上記で示した箇所と重複する説明は、必要な事項を除き省略する。
【００６０】
符号Ｋ１は宝石のひとつであるダイヤモンド２の取付構造を示している。取付構造Ｋ１は、生爪７の表面にダイヤモンド２を取り付ける基材である厚み調整層５ａが塗って設けてある。厚み調整層５ａは、接着するダイヤモンド２のパビリオン２０と略同じ厚みを有するようにしてある。厚み調整層５ａは固化したときに透光性を有する乳白色の状態が維持できる樹脂が使用してある。
【００６１】
厚み調整層５ａにはダイヤモンド２が設けてある。ダイヤモンド２は固化した状態の厚み調整層５ａに取着凹部５０ａを形成し、取着凹部５０ａに接着剤３を注入して、接着剤３の固化前にダイヤモンド２を上方から嵌めて設けてある。ダイヤモンド２は、パビリオン２０が露出せず、クラウン２２及びガードル２１が上面から出るよう取着凹部５０ａに嵌めて固定してある。また、厚み調整層５ａの上面には化粧層６が設けてある。
【００６２】
本実施の形態で厚み調整層５ａは固化したときに透光性を有する乳白色の状態が維持できる樹脂を使用したが、これは限定するものではなく、例えば、固化した状態で透光性を有するもの（有色透明、半透明を含む）や不透光性を有するもの（不透明を含む）が使用できる。
なお、ダイヤモンドの取付構造Ｋ１は、上記したつけ爪Ｎ１，Ｎ２と略同等の作用を備えるので説明は省略する。
【００６３】
上記した実施の形態でダイヤモンド２は、取着孔１０、１０ａや取着凹部５０ａに嵌めて設けるようにしたが、ダイヤモンド２は、例えば、基材の表面に接着剤３を設けて、取着孔や取着凹部を形成せずに接着剤３によって接着して設けることもできる。
【００６４】
上記した実施の形態で接着剤３は、固化したときに無色透明な状態が維持できるものを使用したが、これは限定するものではなく、接着剤３は、固化したときに透光性（透明（有色・無色）や半透明（有色・無色）を含む）を有するものであれば良い。
【００６５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００６６】
【図１】本発明に係るつけ爪の一実施の形態を示す斜視図。
【図２】図１に示すつけ爪におけるダイヤモンドの取付構造を示す拡大断面図。
【図３】本発明に係るつけ爪におけるダイヤモンドの他の取付構造を示す拡大断面図。
【図４】本発明に係る宝石の取付構造におけるダイヤモンドの取付構造を示す拡大断面図。
【符号の説明】
【００６７】
Ｎ１、Ｎ２  つけ爪
Ｋ１  ダイヤモンドの取付構造
１，１ａ  基材
１０、１０ａ  取着孔
２  ダイヤモンド
２０  パビリオン
２１  ガードル
２２  クラウン
２３  キューレット
３  接着剤
４  樹脂
５，５ａ  厚み調整層
５０ａ  取着凹部
６  化粧層
７  生爪
【図１】
2006312069.tif 000004
【図２】
2006312069.tif 000005
【図３】
2006312069.tif 000006
【図４】
2006312069.tif 000007